(57)【要約】【課題】ユニットケースに対するアースプレートのロック状態が外部からの接触等で不用意に解除されてしまうことがないアース接続ユニットを提供すること【解決手段】アースプレート３３を装着したユニットケース３５の底壁上に挿入装着する複数個の開口部カバー３７を、アースプレート３３の弾性係合片３３ｆの上を覆う係合片カバー７３に一体形成したことで、ユニットケース３５へのロック部となる弾性係合片３３ｆが外部に露出することがなくなり、ユニットケース３５に対するアースプレート３３のロック状態が外部からの接触等で不用意に解除されてしまうことを防止することができる。【選択図】図１
2010165784.tif 000002
【特許請求の範囲】
【請求項１】
素子本体から一対のリード端子が延出した複数個の電気素子と、
電線の導体部に導通接続する電線接続部と該電線接続部を外部に導通接続するための外部接続端子部とを備えた金属板製のワイヤーターミナルと、
前記外部接続端子部に導通接続されるターミナル接続部と前記電気素子の一方のリード端子に半田付けされるリード接続部とを備えた金属板製の中継端子と、
アース接続用構造物に締結するアース接続部が取付用板部の一縁に延設されると共に前記電気素子の他方のリード端子に導通接続する複数個の素子接続部が前記取付用板部の他縁に延設された金属板製のアースプレートと、
前記アースプレートの前記取付用板部を載置する板部載置部と前記素子接続部を載置する接続部載置部とが底壁の外面に設けられると共に、前記底壁の内面側には、前記電気素子及び前記中継端子及び前記ワイヤーターミナルとを収容する部品収容部が設けられ、且つ、前記底壁には、前記部品収容部内で接触状態になっている前記中継端子と前記電気素子の一方のリード端子とを半田付けする複数個の作業用開口部が貫通形成された樹脂製のユニットケースと、
前記ユニットケースの側面側から前記底壁に沿って前記作業用開口部上に挿入すると側部のロック突起が前記底壁に設けられた係合部に係合して前記作業用開口部を覆った状態に前記底壁に固定される複数個の開口部カバーと、
を備え、
前記アースプレートが、前記取付用板部の側縁に延設された弾性係合片を、前記ユニットケースの外側面の係合突起に係合させることで、前記ユニットケースにロックされるアース接続ユニットであって、
前記アースプレートの弾性係合片の上を覆う係合片カバーを更に備え、前記複数個の開口部カバーを、前記係合片カバーに一体形成したことを特徴とするアース接続ユニット。
【請求項２】
前記開口部カバーには、前記ロック突起と前記底壁の係合部との係合の際に、前記ロック突起を変位させて係合を容易にする弾性支持部を設けたことを特徴とする請求項１に記載のアース接続ユニット。
【請求項３】
前記底壁には、前記開口部カバーの前記底壁上への挿入途中で前記ロック突起と係合して抜け止めする仮係止部と、挿入完了時に前記ロック突起と係合して抜け止めする本係止部とが、前記開口部カバーのロック突起を係止する前記係合部として、前記開口部カバーの幅方向に突出した形態に設けられ、
前記開口部カバーには、前記ロック突起の上端面よりも下がった位置で挿入方向に沿って前記ロック突起から基端側に延在して、前記ロック突起が係合する前記係合部の下を潜るリブが設けられていることを特徴とする請求項２に記載のアース接続ユニット。
【発明の詳細な説明】
【技術分野】
【０００１】
本発明は、例えば車両に搭載される電線に乗った高周波ノイズの除去のために、前記電線を車体等にアース接続する際に利用されるアース接続ユニットに関する。
【背景技術】
【０００２】
例えば、自動車等に装備される各種センサ等では、ホーンやワイパモータのような高周波成分を持った雑音源からの伝導ノイズや、ネオンサイン等からの外来ノイズや、誘導ノイズ等が電線を伝わって入力されることがあり、これによって誤作動を引き起こしてしまうという問題が生じている。
そこで、車両の電気系統では、上記のノイズを除去するために、ノイズの乗る電線をアース接続ユニットを介して車体等にアース接続することが提案されている。
【０００３】
図１６及び図１７は、上記アース接続ユニットの従来例を示したものである。
ここにアース接続ユニット１は、素子本体２ａ，３ａから一対のリード端子２ｂ，２ｃ，３ｂ，３ｃが延出した２個の電気素子２，３と、電線５の導体部５ａに導通接続する電線接続部７ａと該電線接続部７ａを外部に導通接続するための外部接続端子部７ｃとを備えたワイヤーターミナル７と、外部接続端子部７ｃに導通接続されるターミナル接続部９ａと電気素子２，３の一方のリード端子２ｂ，３ｂに半田付けされるリード接続部９ｂとを備えた金属板製の中継端子９と、車体等のアース接続用構造物に締結するアース接続部１１ａが取付用板部１１ｂの一縁に延設されると共に電気素子２，３の他方のリード端子２ｃ，３ｃに導通接続する２個の素子接続部１１ｃが取付用板部１１ｂの他縁に延設された金属板製のアースプレート１１と、以上の各部品が組み付けられる樹脂製のユニットケース１３と、該ユニットケース１３に装着される２個の開口部カバー１５と、２個のターミナルカバー１７とを備えている。
【０００４】
ユニットケース１３は、アースプレート１１の取付用板部１１ｂを載置する板部載置部２１ａと素子接続部１１ｃを載置する２個の接続部載置部２１ｂとが底壁２１の外面に設けられている。また、ユニットケース１３の底壁２１の内面側には、電気素子２，３を収容する素子収容部と、中継端子９及びワイヤーターミナル７を収容する２個の部品収容部が設けられた構成を成している。
【０００５】
また、ユニットケース１３の底壁２１には、前記部品収容部内で接触状態になっている各中継端子９と電気素子２，３の一方のリード端子２ｂ，３ｂとを半田付けする複数個の作業用開口部２１ｃが貫通形成されている。
【０００６】
それぞれの開口部カバー１５は、ユニットケース１３の側面側から底壁２１に沿って前記作業用開口部２１ｃ上に挿入すると、側部のロック突起１５ａが底壁２１側に設けられた係合部２１ｄに係合して、作業用開口部２１ｃを覆った状態に底壁２１に固定される。
【０００７】
ターミナルカバー１７は、電線５に装着されたワイヤーターミナル７を収容保持した状態でユニットケース１３に嵌合装着されて、ユニットケース１３に収容されたワイヤーターミナル７の外面側を覆う。
【０００８】
以上のアース接続ユニット１は、図１６に示したように組み立てた状態では、電線５の導体部５ａが、電気素子２又は電気素子３を介してアースプレート１１に導通接続されており、アースプレート１１のアース接続部１１ａを車体に締結することにより、接地される。以上のアース接続ユニット１は、前記電気素子２，３に所定容量のコンデンサを使うことで、電線５に乗った高周波ノイズを除去するノイズフィルタとして利用される（例えば、特許文献１，特許文献２参照）。
【０００９】
ところで、前述のアース接続ユニット１の場合、アースプレート１１は、取付用板部１１ｂに形成した係合穴１１ｄに、板部載置部２１ａに突設されている板留具（クランプ）２４を係合させることで板部載置部２１ａに固定し、更に、取付用板部１１ｂの側縁に延設された弾性係合片１１ｅをユニットケース１３の側壁に突設された係合突起２５に係合させることにより、ユニットケース１３への固定状態をロックする。
【先行技術文献】
【特許文献】
【００１０】
【特許文献１】特開２００６−１０９５８７号公報
【特許文献２】特開２００７−３１１６３０号公報
【発明の概要】
【発明が解決しようとする課題】
【００１１】
ところが、前述したアース接続ユニット１の場合は、アースプレート１１のユニットケース１３への固定状態にロックする弾性係合片１１ｅは、ユニットケース１３の外側面に露出する構造のため、外部からの接触により弾性係合片１１ｅが撓んで、ロックが解除されてしまうおそれがあった。
【００１２】
また、アース接続ユニット１に収容した電線５がアースプレート１１側に引き回されている場合に、電線５が露出している弾性係合片１１ｅの端縁（エッジ）２７との接触で、損傷するおそれがあった。
【００１３】
更に、前述したアース接続ユニット１の場合、各作業用開口部２１ｃを覆う開口部カバー１５は、各作業用開口部２１ｃ毎に個別の部品であるため、収容する電気素子２，３の数量に応じた挿入装着作業が必要になり、構成部品の増加や、組み立て工程数の増加といった問題が生じた。
【００１４】
本発明の目的は上記課題を解消することに係り、ユニットケースに対するアースプレートのロック状態が外部からの接触等で不用意に解除されてしまうことがなく、アースプレートの固定状態を安定維持することができ、また、アース接続ユニットに収容した電線がアースプレートの端縁との接触で損傷することを防止でき、更には、構成部品点数や組立工程数の削減を図ることのできるアース接続ユニットを提供することにある。
【課題を解決するための手段】
【００１５】
本発明の前述した目的は、下記の構成により達成される。
（１）素子本体から一対のリード端子が延出した複数個の電気素子と、
電線の導体部に導通接続する電線接続部と該電線接続部を外部に導通接続するための外部接続端子部とを備えた金属板製のワイヤーターミナルと、
前記外部接続端子部に導通接続されるターミナル接続部と前記電気素子の一方のリード端子に半田付けされるリード接続部とを備えた金属板製の中継端子と、
アース接続用構造物に締結するアース接続部が取付用板部の一縁に延設されると共に前記電気素子の他方のリード端子に導通接続する複数個の素子接続部が前記取付用板部の他縁に延設された金属板製のアースプレートと、
前記アースプレートの前記取付用板部を載置する板部載置部と前記素子接続部を載置する接続部載置部とが底壁の外面に設けられると共に、前記底壁の内面側には、前記電気素子及び前記中継端子及び前記ワイヤーターミナルとを収容する部品収容部が設けられ、且つ、前記底壁には、前記部品収容部内で接触状態になっている前記中継端子と前記電気素子の一方のリード端子とを半田付けする複数個の作業用開口部が貫通形成された樹脂製のユニットケースと、
前記ユニットケースの側面側から前記底壁に沿って前記作業用開口部上に挿入すると側部のロック突起が前記底壁に設けられた係合部に係合して前記作業用開口部を覆った状態に前記底壁に固定される複数個の開口部カバーと、
を備え、
前記アースプレートが、前記取付用板部の側縁に延設された弾性係合片を、前記ユニットケースの外側面の係合突起に係合させることで、前記ユニットケースにロックされるアース接続ユニットであって、
前記アースプレートの弾性係合片の上を覆う係合片カバーを更に備え、前記複数個の開口部カバーを、前記係合片カバーに一体形成したことを特徴とするアース接続ユニット。
【００１６】
（２）前記開口部カバーには、前記ロック突起と前記底壁の係合部との係合の際に、前記ロック突起を変位させて係合を容易にする弾性支持部を設けたことを特徴とする上記（１）に記載のアース接続ユニット。
【００１７】
（３）前記底壁には、前記開口部カバーの前記底壁上への挿入途中で前記ロック突起と係合して抜け止めする仮係止部と、挿入完了時に前記ロック突起と係合して抜け止めする本係止部とが、前記開口部カバーのロック突起を係止する前記係合部として、前記開口部カバーの幅方向に突出した形態に設けられ、
前記開口部カバーには、前記ロック突起の上端面よりも下がった位置で挿入方向に沿って前記ロック突起から基端側に延在して、前記ロック突起が係合する前記係合部の下を潜るリブが設けられていることを特徴とする上記（２）に記載のアース接続ユニット。
【００１８】
上記（１）の構成によれば、アースプレートをユニットケースにロック状態にするアースプレート上の弾性係合片は、ユニットケース上の外側面の係合突起に係合するが、前記弾性係合片の上には、複数個の開口部カバーを連結一体化している係合片カバーが重なって、弾性係合片が係合片カバーで覆われた状態になる。
【００１９】
即ち、ロック手段であるアースプレート上の弾性係合片は、複数個の開口部カバーを連結一体化している係合片カバーによって覆われて、外部に露出しない。
従って、ユニットケースに対するアースプレートのロック状態が外部からの接触等で不用意に解除されてしまうことがなく、アースプレートの固定状態を安定維持することができる。
【００２０】
また、アースプレートの弾性係合片が、複数個の開口部カバーを連結一体化している係合片カバーによって覆われているため、当該アース接続ユニットに収容した電線が前記弾性係合片の端縁との接触で損傷することを防止することができる。
【００２１】
更に、複数個の開口部カバーが係合片カバーにより一体化されているため、複数個の開口部カバーを、一括してユニットケースに組み付けることができ、構成部品点数や組立工程数の削減を図ることもできる。
【００２２】
上記（２）の構成によれば、開口部カバーのロック突起がユニットケースの底壁の係合部に係合する際には、弾性支持部の弾性変形によって係合が容易になる方向にロック突起が変位するため、ロック突起が変位しない場合と比較すると、ロック突起に無理な荷重がかからず、ロック突起の破損を回避することができる。
また、開口部カバーを装着する際の操作力を小さくできるため、作業性を向上させることもできる。
【００２３】
上記（３）の構成によれば、開口部カバーのロック突起の基端側には、該ロック突起をユニットケースの底壁の仮係止部や本係止部に係合させた時に、これらの係止部の下を潜るリブが装備されていて、該リブと各係止部との係合により、ユニットケースに係合した開口部カバーの浮き上がりを防止でき、より堅固に開口部カバーをユニットケースに係止可能になると同時に、仮係止状態などで係合が外れて開口部カバーが脱落することを防止することもできる。
【発明の効果】
【００２４】
本発明によるアース接続ユニットによれば、アースプレートをユニットケースにロック状態にするアースプレート上の弾性係合片は、ユニットケース上の外側面の係合突起に係合するが、前記弾性係合片の上には更に、複数個の開口部カバーを連結一体化している係合片カバーが重なって、覆われる。
【００２５】
即ち、ロック手段であるアースプレート上の弾性係合片は、複数個の開口部カバーを連結一体化している係合片カバーによって覆われて、外部に露出しない。
従って、ユニットケースに対するアースプレートのロック状態が外部からの接触等で不用意に解除されてしまうことがなく、アースプレートの固定状態を安定維持することができる。
【００２６】
また、アースプレートの弾性係合片が、複数個の開口部カバーを連結一体化している係合片カバーによって覆われているため、当該アース接続ユニットに収容した電線が前記弾性係合片の端縁との接触で損傷することを防止することができる。
【００２７】
更に、複数個の開口部カバーが係合片カバーにより一体化されているため、複数個の開口部カバーを、一括してユニットケースに組み付けることができ、構成部品点数や組立工程数の削減を図ることもできる。
【図面の簡単な説明】
【００２８】
【図１】本発明に係るアース接続ユニットの一実施の形態の斜視図である。
【図２】図１に示したアース接続ユニットの分解斜視図である。
【図３】図２に示したアース接続ユニットにおいて、ユニットケースにアースプレートを取り付けた後に、開口部カバーをユニットケースに仮係止させた組み立て途中の状態をアースプレート側から見た斜視図である。
【図４】図３に示した組み立て途中状態のユニットケースの内部を、アースプレートの取り付け側とは反対の側から見た斜視図である。
【図５】一実施の形態のユニットケースにターミナルカバーを装着する状態を示す斜視図である。
【図６】一実施の形態のユニットケースにターミナルカバーを装着した状態のときの電線挿通位置の説明図である。
【図７】（ａ）は図２に示したワイヤーターミナルの単体での斜視図、（ｂ）は（ａ）のワイヤーターミナルが加締め付けられた電線の斜視図である。
【図８】（ａ）は図２に示したターミナルカバーの斜視図、（ｂ）は図２に示したターミナルカバーを別の視点から見た斜視図である。
【図９】図３のＡ部の拡大正面図である。
【図１０】図９のＢ−Ｂ断面の斜視図である。
【図１１】図９のＣ−Ｃ断面図である。
【図１２】開口部カバーのユニットケースへの取り付け状態を本係止状態にしたときの正面図である。
【図１３】図１２のＤ−Ｄ断面図である。
【図１４】図１３のＥ−Ｅ断面図の斜視図である。
【図１５】本発明に係るアース接続ユニットに使用する開口部カバーの他の実施形態の要部の構成を示す概略図である。
【図１６】従来のアース接続ユニットの斜視図である。
【図１７】図１６に示したアース接続ユニットの分解斜視図である。
【発明を実施するための形態】
【００２９】
以下、本発明に係るアース接続ユニットの好適な実施の形態について、図面を参照して詳細に説明する。
図１は本発明に係るアース接続ユニットの一実施の形態の斜視図、図２は図１に示したアース接続ユニットの分解斜視図、図３は図２に示したアース接続ユニットにおいて、ユニットケースにアースプレートを取り付けた後に、開口部カバーをユニットケースに仮係止させた組み立て途中の状態をアースプレート側から見た斜視図である。また、図４は図３に示した組み立て途中状態のユニットケースの内部を、アースプレートの取り付け側とは反対の側から見た斜視図である。
【００３０】
この一実施の形態のアース接続ユニット３１は、素子本体２ａ，３ａから一対のリード端子２ｂ，２ｃ，３ｂ，３ｃが延出した２個の電気素子２，３と、電線５，６の導体部に導通接続する電線接続部７ａと該電線接続部７ａを外部に導通接続するための外部接続端子部７ｃとを備えたワイヤーターミナル７と、外部接続端子部７ｃに嵌合して導通接続されるターミナル接続部９ａと電気素子２，３の一方のリード端子２ｂ，３ｂに半田付けされるリード接続部９ｂとを備えた金属板製の中継端子９と、車体等のアース接続用構造物に締結するアース接続部３３ａが取付用板部３３ｂの一縁に延設されると共に電気素子２，３の他方のリード端子２ｃ，３ｃに導通接続する２個の素子接続部３３ｃが取付用板部３３ｂの他縁に延設された金属板製のアースプレート３３と、以上の各部品が組み付けられる樹脂製のユニットケース３５と、収容するユニットケース３５内の電気素子２，３を収容する素子収容部の上を覆う素子収容部カバー３６と、該ユニットケース３５に装着される２個の開口部カバー３７と、２個のターミナルカバー３８とを備えている。
【００３１】
本実施の形態のアース接続ユニット３１は、ノイズフィルタとして使用されるもので、電気素子２，３は所定容量のコンデンサである。
【００３２】
ユニットケース３５は、有底の箱形構造で、図２に示すように、底壁４１の外面に、アースプレート３３の取付用板部３３ｂを載置する板部載置部４１ａと、２個の素子接続部３３ｃを載置する２個の接続部載置部４１ｂとが設けられている。そして、板部載置部４１ａには、取付用板部３３ｂに形成された取付用係合穴３３ｄに係合して、取付用板部３３ｂを保持する板留具（クランプ）２４が一体に形成されている。
この板留具２４は、ユニットケース３５を車体のクランプ穴に連結する連結具としても機能する。
【００３３】
アースプレート３３は、図３に示すように、取付用板部３３ｂに形成された取付用係合穴３３ｄをユニットケース３５の板留具２４に係合させ、更に、取付用板部３３ｂの側縁に延設された弾性係合片３３ｆをユニットケース３５の外側面に突設された係合突起２５に係合させることにより、ユニットケース３５への固定状態がロックされる。
【００３４】
また、底壁４１の外面には、図３に示すように、ユニットケース３５内に収容した電気素子２，３の一方のリード端子２ｂ，３ｂと、これらのリード端子２ｃ，３ｃに当接するようにユニットケース３５内に収容された中継端子９のリード接続部９ｂとを半田付けするための２個の作業用開口部４２が貫通形成されている。２個の作業用開口部４２は、後述する部品収容部４３に対応する位置に設けられている。
【００３５】
それぞれの作業用開口部４２は、導通検査穴としても利用される。
図３に示すように、アースプレート３３は、取付用板部３３ｂが作業用開口部４２を塞がないように、作業用開口部４２を露出させる連絡穴３３ｅが取付用係合穴３３ｄに連続して形成されている。
【００３６】
また、ユニットケース３５の底壁２１の内面側には、中央部に、２個の電気素子２，３を重ねた状態に収容する素子収容部が装備されており、この素子収容部は素子収容後に、図４に示すように、素子収容部カバー３６が装着されて覆われる。
素子収容部カバー３６は、両側縁の折曲げ部に形成した係合穴３６ａを、素子収容部外側壁の係止突起４５に係合させることで、ユニットケース３５に固定されている。
【００３７】
また、ユニットケース３５の底壁２１の内面側には、図４に示すように、素子収容部の両側に、中継端子９と、ワイヤーターミナル７とを収容する部品収容部４３が設けられている。
【００３８】
素子収容部カバー３６により覆われる素子収容部に収容された２個の電気素子２，３のそれぞれのリード端子２ｂ，２ｃ，３ｂ，３ｃは、図５及び図６に示すように、素子収容部と部品収容部４３との間を仕切っている仕切り壁４６に貫通形成されたリード挿通用開口４７から、部品収容部４３側の所定位置に位置決めされる。
【００３９】
各部品収容部４３には、図４に示すように、収容した中継端子９のリード接続部９ｂを位置決めする突起４９（図５参照）、収容した中継端子９のばね部を保護するばね保護部５１、電線５，６を挿通させるための切欠部５２、ターミナルカバー３８を部品収容部４３に挿入する際の案内部となるターミナルカバーガイド溝５３、部品収容部４３に挿入されたターミナルカバー３８をロックするロック部５４、などが設けられている。
【００４０】
ターミナルカバー３８は、電線５，６を圧着したワイヤーターミナル７を収容保持した状態で、部品収容部４３に装着される。
ワイヤーターミナル７は、図７に示すように、電線５，６の導体部に加締め付けて導通接続する電線接続部７ａと、電線５，６の被覆部を把持する被覆把持部７ｂと、前記電線接続部７ａを外部に導通接続するための外部接続端子部７ｃと、ターミナルカバー３８側に装備された位置決め突起６１との係合によりターミナルカバー３８への位置決めを果たす位置決め穴７ｄと、ターミナルカバー３８側に装備されたターミナル係止突起６２との係合によりターミナルカバー３８への固定を果たすロック部７ｅとが備えられている。
【００４１】
ターミナルカバー３８は、図８に示すように、ワイヤーターミナル７を収容する空間であるキャビティ５８内に、挿入されるワイヤーターミナル７を適正なロック位置に案内するガイドリブ６１と、ガイドリブ６１に沿って挿入されたワイヤーターミナル７の位置決め穴７ｄとの係合によりワイヤーターミナル７を位置決めする前記位置決め突起６２と、位置決めされたワイヤーターミナル７を固定するターミナル係止ロックアーム６３と、電線５，６を挿通させるための切欠部６４と、ワイヤーターミナル７の外部接続端子部７ｃの幅に合わせて立設されていてワイヤーターミナル７の逆挿入を防止する一対の逆挿入防止リブ６６と、を備えている。
【００４２】
また、ターミナルカバー３８には、図８に示すように、キャビティ５８に収容したワイヤーターミナル７の外部接続端子部７ｃの外側を覆って、該外部接続端子部７ｃを保護する端子部保護フード６７が装備されている。
【００４３】
更に、ターミナルカバー３８の外周部には、ユニットケース３５の部品収容部４３のターミナルカバーガイド溝５３に嵌合するガイド部６８や、ロック部５４に係合して部品収容部４３への固定を果たすロックビーク６９が設けられている。
【００４４】
ターミナルカバー３８は、電線５に装着されたワイヤーターミナル７を収容保持した状態でユニットケース３５に嵌合装着されて、ユニットケース３５に収容されたワイヤーターミナル７の外面側を覆う。
【００４５】
２個の開口部カバー３７は、ユニットケース３５の側面側から底壁４１に沿って作業用開口部４２上に挿入すると、側部のロック突起３７ａが底壁４１側に設けられた係合部７１に係合して、底壁４１に連結された状態になる。
【００４６】
本実施の形態の場合、２個の開口部カバー３７は、ユニットケース３５に固定したアースプレート３３の弾性係合片３３ｆの上を覆う係合片カバー７３に一体形成されている。
係合片カバー７３は、各開口部カバー３７の基端同士を連結するように一体形成されていて、これらの２個の開口部カバー３７を底壁４１へ固定状態としたときに、係合片カバー７３が弾性係合片３３ｆの上を覆った状態になる。
【００４７】
また、本実施の形態の場合、開口部カバー３７には、ロック突起３７ａと前記底壁４１の係合部７１との係合の際に、ロック突起３７ａを係合部７１から退避させる方向（図９で、矢印Ｘ方向）に変位させて係合部７１との係合を容易にする弾性支持部３７ｂを設けている。
【００４８】
弾性支持部３７ｂは、図２に示すように、開口部カバー３７の挿入方向に沿って延びるスリット３７ｃをロック突起３７ａの内側に形成することで、開口部カバー３７の挿入方向に沿って延在する板ばね状に形成されている。
【００４９】
なお、本実施の形態の場合、前記弾性支持部３７ｂのロック突起３７ａから開口部カバー３７の基端側に延在する部位は、図１０及び図１４に示すように、ロック突起３７ａの上端面３７ｄよりも下がった位置となるように形成されていて、ロック突起３７ａが係合する係合部７１の下を潜るリブ８１として機能する。
【００５０】
開口部カバー３７のロック突起３７ａを係止する底壁４１側の係合部７１は、開口部カバー３７の底壁４１上への挿入途中でロック突起３７ａと係合して抜け止めする仮係止部７５と、開口部カバー３７の挿入完了時にロック突起３７ａと係合して抜け止めする本係止部７６とを備えている。これらの仮係止部７５及び本係止部７６は、開口部カバー３７の幅方向（図９の左右方向）に突出した形態に設けられている。
【００５１】
図３に示した開口部カバー３７は、底壁４１の仮係止部７５によって仮係止されている状態で、この仮係止状態では、開口部カバー３７の先端部は作業用開口部４２には到達しておらず、作業用開口部４２から半田付け作業や、導通検査を実施することができる。
【００５２】
開口部カバー３７を仮係止状態から更に挿入すると、図１２〜図１４に示すように、ロック突起３７ａが本係止部７６に係合し、本係止状態になる。この本係止状態では、作業用開口部４２が開口部カバー３７により覆われた状態になる。
【００５３】
以上に説明したアース接続ユニット３１は、次の［１］〜［９］に示した手順（組立工程）で組み立てられる。
［１］まず、ユニットケース３５の素子収容部に、電気素子２，３が装着される。このとき、各電気素子２，３のリード端子２ｂ，２ｃ，３ｂ，３ｃが、図５に示したように、素子収容部と部品収容部４３との間を仕切っている仕切り壁４６に貫通形成されたリード挿通用開口４７から、部品収容部４３側の所定位置に位置決めされる。
【００５４】
［２］次いで、図４に示したようにユニットケース３５の各部品収容部４３に中継端子９が装着される。
［３］次いで、図３に示すように、アースプレート３３をユニットケース３５の底壁４１に固定する。
［４］次いで、電気素子２，３のリード端子２ｂ，２ｃ，３ｂ，３ｃを、中継端子９やアースプレート３３の素子接続部３３ｃに導通接続（半田付け）する。
【００５５】
［５］次いで、ユニットケース３５の素子収容部を素子収容部カバー３６で覆うと共に、開口部カバー３７をユニットケース３５に仮係止状態に取り付けて、図３及び図４に示した状態を得る。
［６］次いで、被覆を剥いだ電線５，６にワイヤーターミナル７を圧着し、そのワイヤーターミナル７をターミナルカバー３８に装着する。
［７］次いで、ワイヤーターミナル７が装着されたターミナルカバー３８を部品収容部４３に嵌合装着する。
【００５６】
［８］次いで、ユニットケース３５の板留具２４を、車体のクランプ穴に嵌合させて、ユニットケース３５を車体に連結する。
［９］次いで、アースプレート３３のアース接続部３３ａを、車体にねじ止めして車体に導通接続すれば、電線５，６に流れるノイズ成分が、中継端子９及び電気素子２，３、アースプレート３３を介して車体に接地されて、ノイズフィルタとして機能するようになる。
【００５７】
以上に説明したアース接続ユニット３１の構成によれば、アースプレート３３をユニットケース３５にロック状態にするアースプレート３３上の弾性係合片３３ｆは、ユニットケース３５上の外側面の係合突起２５に係合するが、弾性係合片３３ｆの上には、２個の開口部カバー３７を連結一体化している係合片カバー７３が重なって、弾性係合片３３ｆが係合片カバー７３で覆われた状態になる。
【００５８】
即ち、ロック手段であるアースプレート３３上の弾性係合片３３ｆは、２個の開口部カバー３７を連結一体化している係合片カバー７３によって覆われて、外部に露出しない。
従って、ユニットケース３５に対するアースプレート３３のロック状態が外部からの接触等で不用意に解除されてしまうことがなく、アースプレート３３の固定状態を安定維持することができる。
【００５９】
また、アースプレート３３の弾性係合片３３ｆが、２個の開口部カバー３７を連結一体化している係合片カバー７３によって覆われているため、当該アース接続ユニット３１に収容した電線５，６が弾性係合片３３ｆの端縁との接触で損傷することを防止することができる。
【００６０】
更に、２個の開口部カバー３７が係合片カバー７３により一体化されているため、２個の開口部カバー３７を、一括してユニットケース３５に組み付けることができ、構成部品点数や組立工程数の削減を図ることもできる。
【００６１】
また、上記のアース接続ユニット３１の構成によれば、開口部カバー３７のロック突起３７ａがユニットケース３５の底壁４１の係合部７１に係合する際には、弾性支持部３７ｂの弾性変形によって係合が容易になる方向にロック突起３７ａが変位するため、ロック突起３７ａが変位しない場合と比較すると、ロック突起３７ａに無理な荷重がかからず、無理嵌めによるロック突起３７ａの破損を回避することができる。
また、開口部カバー３７を装着する際の操作力を小さくできるため、作業性を向上させることもできる。
【００６２】
更に上記のアース接続ユニット３１の構成によれば、開口部カバー３７のロック突起３７ａの基端側には、該ロック突起３７ａをユニットケース３５の底壁４１の仮係止部７５や本係止部７６に係合させた時に、これらの係止部の下を潜るリブ８１が装備されていて、該リブ８１と各係止部７５，７６との係合により、ユニットケース３５に係合した開口部カバー３７の浮き上がりを防止でき、より堅固に開口部カバー３７をユニットケース３５に係止可能になると同時に、仮係止状態などで係合が外れて開口部カバー３７が脱落することを防止することもできる。
【００６３】
なお、上記係合片カバー７３には、図１５に示すように、係合突起２５が装備されているユニットケース３５の側壁８５を係合片カバー７３との間に挟み込むロック片８７を一体形成するようにしても良い。
【００６４】
このようにすることによって、弾性係合片３３ｆのロック外れ防止効果が更に向上すると同時に、係合片カバー７３自体のユニットケース３５への固定強度を向上させることができる。
【００６５】
なお、本発明に係るアース接続ユニットにおいて、ユニットケースに装備する作業用開口部の数量や、作業用開口部を覆うためにユニットケースに装着する開口部カバーの数量は、ユニットケースに収容する電気素子の数量に応じて変化する。ユニットケースに収容する電気素子の数量は、上記実施の形態に示した２個に限るものではなく、３個以上の電気素子を収容する構成とすることも考えられる。その場合には、ユニットケースの作業用開口部の数量や、作業用開口部を覆う開口部カバーの数量も３個以上となり、アースプレートの弾性係合片３３ｆの上を覆う係合片カバー７３は３個以上の開口部カバーを一体に連結する構成となる。
【００６６】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００６７】
２，３  電気素子（コンデンサ）
２ｂ，２ｃ，３ｂ，３ｃ  リード端子
５，６  電線
７  ワイヤーターミナル
７ｃ  外部接続端子部
９  中継端子
９ａ  ターミナル接続部
９ｂ  リード接続部
２４  板留具（クランプ）
２５  係合突起
３１  アース接続ユニット
３３    アースプレート
３３ａ  アース接続部
３３ｂ  取付用板部
３３ｃ  素子接続部
３３ｆ  弾性係合片
３５  ユニットケース
３６  素子収容部カバー
３７  開口部カバー
３７ａ  ロック突起
３７ｂ  弾性支持部
３７ｃ  スリット
３８  ターミナルカバー
４１  底壁
４２  作業用開口部
４３  部品収容部
４６  仕切り壁
４７  リード挿通用開口
５２  切欠部
７１  係合部
７３  係合片カバー
７５  仮係止部
７６  本係止部
８１  リブ
８５  側壁
８７  ロック片
【図１】
2010165784.tif 000003
【図２】
2010165784.tif 000004
【図３】
2010165784.tif 000005
【図４】
2010165784.tif 000006
【図５】
2010165784.tif 000007
【図６】
2010165784.tif 000008
【図７】
2010165784.tif 000009
【図８】
2010165784.tif 000010
【図９】
2010165784.tif 000011
【図１０】
2010165784.tif 000012
【図１１】
2010165784.tif 000013
【図１２】
2010165784.tif 000014
【図１３】
2010165784.tif 000015
【図１４】
2010165784.tif 000016
【図１５】
2010165784.tif 000017
【図１６】
2010165784.tif 000018
【図１７】
2010165784.tif 000019